(57)【要約】【課題】  精米設備の設置面積を大きくすることなく、設置場所にかかわらず利用者が糠を取り出しやすくすることを課題とする。【解決手段】  建屋（１０）を仕切壁（１１）で利用者が操作する操作室（１２）と、機械室（１３）とに仕切り、機械室（１３）側の左右側壁（２１，２２）にそれぞれ開閉扉（２０，２３）を設け、機械室（１３）内には精米機（５）と、一方の開閉扉（２０）と対向する位置に上下方向に伸びる囲い板（１８）で覆う糠収容室（１９）とを設け、糠収容室（１９）内には精米機（５）で精米処理して発生した糠と糠を搬送した空気とを分離するサイクロン（９）を設け、糠収容室（１９）内と糠収容室（１９）外を通気可能な通気口を設け、他方の開閉扉（２３）を機械室（１３）内のメンテナンス用スペース（２６）への出入り用とすることを特徴とする精米設備とする。【選択図】  図２
2013094698.tif 000002
【特許請求の範囲】
【請求項１】
建屋内に精米機を設け、建屋側壁には建屋内外を出入りする開閉扉を設け、建屋内の開閉扉と対向する位置に上下方向に伸びる囲い板で覆う糠収容室を設け、糠収容室内には精米機で精米処理して発生した糠と糠を搬送した空気とを分離するサイクロンを設け、糠収容室内と糠収容室外を通気可能な通気口を設けたことを特徴とする精米設備。
【請求項２】
囲い板の設置位置を移動可能に構成すべく、囲い板を建屋内で位置固定する固定具を着脱可能に構成したことを特徴とする請求項１記載の精米設備。
【請求項３】
囲い板の下部には移動車輪を設けたことを特徴とする請求項２記載の精米設備。
【請求項４】
囲い板の上端と建屋の天井とを離間し、開放状態としたことを特徴とする請求項１から請求項３いずれか記載の精米設備。
【請求項５】
建屋を仕切壁で利用者が操作する操作室と、精米機と糠収容室とを設ける機械室とに仕切り、機械室側の左右側壁にそれぞれ開閉扉を設け、一方の開閉扉を糠収容室への出入り用とし、他方の開閉扉を機械室内のメンテナンス用スペースへの出入り用とすることを特徴とする請求項１から請求項４いずれか記載の精米設備。
【発明の詳細な説明】
【技術分野】
【０００１】
本発明は、穀物調製設備に関する。
【背景技術】
【０００２】
特許文献１には、建屋外部に独立した糠小屋を備える精米設備が記載されている。特許文献２には建屋内に糠室を設ける精米設備が記載されている。
【先行技術文献】
【特許文献】
【０００３】
【特許文献１】特公平７−３２８８２号公報
【特許文献２】特開昭６１−２５４２５９号公報
【発明の概要】
【発明が解決しようとする課題】
【０００４】
特許文献１においては、設置面積が広くなり、設置可能場所が少なくなるという欠点がある。特許文献２では、操作室から糠を取り出せるという利便性があるものの操作室内に糠や塵埃が散乱し、利用者の作業環境が低下するという欠点が生じる。
【０００５】
本発明は、精米設備の設置面積を大きくすることなく、設置場所にかかわらず利用者が糠を取り出しやすくすることを課題とする。
【課題を解決するための手段】
【０００６】
本発明はかかる技術的課題を解決するために次のような技術的手段を講じる。
請求項１記載の発明は、建屋内に精米機を設け、建屋側壁には建屋内外を出入りする開閉扉を設け、建屋内の開閉扉と対向する位置に上下方向に伸びる囲い板で覆う糠収容室を設け、糠収容室内には精米機で精米処理して発生した糠と糠を搬送した空気とを分離するサイクロンを設け、糠収容室内と糠収容室外を通気可能な通気口を設けたことを特徴とする精米設備とする。
【０００７】
請求項２記載の発明は、囲い板の設置位置を移動可能に構成すべく、囲い板を建屋内で位置固定する固定具を着脱可能に構成したことを特徴とする請求項１記載の精米設備とする。
【０００８】
請求項３記載の発明は、囲い板の下部には移動車輪を設けたことを特徴とする請求項２記載の精米設備とする。
請求項４記載の発明は、囲い板の上端と建屋の天井とを離間し、開放状態としたことを特徴とする請求項１から請求項３いずれか記載の精米設備。
【０００９】
請求項５記載の発明は、建屋を仕切壁で利用者が操作する操作室と、精米機と糠収容室とを設ける機械室とに仕切り、機械室側の左右側壁にそれぞれ開閉扉を設け、一方の開閉扉を糠収容室への出入り用とし、他方の開閉扉を機械室内のメンテナンス用スペースへの出入り用とすることを特徴とする請求項１から請求項４いずれか記載の精米設備とする。
【発明の効果】
【００１０】
本発明により、建屋内に糠収容室を設けることができ、精米設備の設置面積を大きくすることなく、また設置場所にかかわらず利用者が糠を取り出しやすくすることができる。
【図面の簡単な説明】
【００１１】
【図１】精米設備の作業工程図
【図２】精米設備の平面図
【図３】糠収容室を説明する斜視図
【図４】平面から見た糠収容室を説明する図
【図５】操作室からみた正面図
【発明を実施するための形態】
【００１２】
本発明の実施の形態の精米設備について、以下説明する。
まず、精米設備の装置各部について作業工程図に基づいて説明する。
精米設備の装置各部を作業工程順に説明する。
【００１３】
玄米を投入する投入ホッパ１と、投入ホッパ１内の玄米を揚穀する第一昇降機２と、石抜機３と、石抜機３で石抜きされた玄米を揚穀する第二昇降機４と、精米機５と、精米機５で精米処理された精白米を貯留する白米タンク７とを備える。そして、精米機５の精米処理により発生した糠を吸引及び搬送する糠搬送ファン８と、糠を空気搬送する糠搬送筒６と、空気搬送された糠と空気とを分離するサイクロン９とを設けている。糠搬送筒６の途中には切換弁２７を設け、第二糠搬送筒２８を経て客室から糠を取り出す糠取り出し室２９の第二サイクロン３０を設けている。
【００１４】
次に平面から見た精米設備内部の配置について説明する。
建屋１０内を仕切壁１１で前後に仕切り、前側を操作室１２、後側を機械室１３とする。操作室１２側の仕切壁１１には投入ホッパ１用の袋置き台１４と、操作盤１５と白米タンク７の取出口７ａと、糠取り出し扉４４とを設け、操作室１２の前側には利用者が出入りする第一開閉扉１６を設けている。
【００１５】
機械室１３の前側には石抜機３と精米機５とを設け、機械室１３の後側には糠搬送空気を上方、糠を下方に排出するサイクロン９を設け、サイクロン９の周囲を囲い板１８で囲み、サイクロン９を上部位置に設ける糠収容室１９を形成している。糠収容室１９と対向する位置には利用者が糠収容室１９に出入りするための第二開閉扉２０を設けている。第二開閉扉２０は機械室１３の左右一方の側壁２１に設けられ、左右他方の側壁２２には管理者が機械室１３内に出入りする第三開閉扉２３を設けている。
【００１６】
建屋１０は箱型とし、第二開閉扉２０と第三開閉扉は左右対称位置に設けている。
本実施の形態の精米設備は石抜機３及び精米機５の後端と建屋１０の後壁２４との間にスペース２５を設け、該スペース２５の左右一側を糠収容室１９とし、左右他側を管理者のメンテナンス用スペース２６としている。
【００１７】
次に糠収容室１９の構成について以下説明する。
平面視コの字型の囲い板１８の長手の開放面を第二開閉扉２０と対向する位置に設け、囲い板１８の上部にはサイクロン支持固定プレート３８を設け、サイクロン９を吊り下げ支持する構成である。また、囲い板１８の下端部には底板３１を設け、底板３１の下方には移動車輪３２を設けている。
【００１８】
囲い板１８の上端部を開放状態とし、囲い板１８の上端部と建屋１０の天井３３とを設定距離Ｌ離間する構成とし、機械室１３と糠収容室１９とを通気可能に構成する。囲い板１８の他の実施の形態として、囲い板１８を天井３３まで延ばして糠収容室１９と機械室１９を略完全に遮蔽し、一部に通気孔（図示せず）を形成して機械室１３内と通気する構成でも良い。なお、前記通気孔（図示せず）に空気を通過し、糠を通過させないフィルタ（図示せず）を設けて糠を機械室１３内に入り込まない構成としても良い。
【００１９】
また、囲い板１８は囲い板固定部材３４を介して機械室１３の側壁２１側に支持固定する構成とし、本実施の形態では囲い板１８と囲い板固定部材３４とにより、第二開閉扉２０を開けても利用者が機械室１３内に入り込めないように糠収容室１９と機械室１３とを遮蔽する構成である。
【００２０】
囲い板固定部材３４は着脱可能なボルト等の固定具３５で機械室１３の側壁２１に固定される。また、囲い板１８は着脱可能なボルト等の固定具３６を囲い板１８の外側に取付けられる固定具用プレート３９を貫通させて建屋１０の床３７側に固定される。そして、囲い板１８の開放側の端部にフランジ１８ａを形成し、囲い板固定部材３４のフランジ３４ａと面位置を合わせる。移動車輪３２と略同じ高さ分の台４０を床３７上に載置し、糠収容室１９の底板３１との高さ位置を同一にする。
【００２１】
この実施の形態の趣旨を以下説明する。
糠収容室１９の上部は機械室１３と通気可能な開放部を設けると共に、それ以外は、利用者が機械室１３内に入り込めないように遮蔽する構成としている。糠収容室１９内を密閉状態にすると、糠搬送ファン８による糠の搬送空気により糠収容室１９内が負圧になり、サイクロン１７内での搬送空気と糠との分離性能が低下するため、糠収容室１９から糠の搬送空気を逃がす必要がある。そのため、囲い板１８の上端部と建屋の天井とを設定距離Ｌ離間し、機械室１３と糠収容室１９とを通気可能に構成している。また、糠収容室１９を固定するにあたっては、メンテナンス用スペース２６側から固定具３５，３６を着脱する構成とし、糠収容室１９側からは固定具３５，３６を着脱できないようにするものである。
【００２２】
管理者が機械室１３内にメンテナンス等で出入りするときには第三開閉扉２３を利用する。すなわち、第三開閉扉２３からメンテナンス用スペース２６に入り込み、後ろ側から石抜機３や精米機５をメンテナンスしたり、囲い板１８の着脱をするようにする。
【００２３】
この精米設備の利用法として操作室１２を出入りする第一開閉扉１６と、糠収容室１９を出入りする第二開閉扉２０は利用者が任意に出入りできるように常時開錠しておき、機械室１３に出入りする第三開閉扉２３は管理者のみが出入りできるように常時施錠している。
【００２４】
利用者は第一開閉扉１６から操作室１２内に入り、投入ホッパ１に持参玄米を投入し、操作盤１５の料金投入口４１に料金を投入すると共に、精白度選択スイッチ４２で精白度を設定して精米運転を行い、白米タンク７の取出し口７ａから精白米を取り出す。糠取り出しスイッチ４３を操作しないと、精米機５で発生した糠は囲い板１８を貫通する糠搬送筒６を空気搬送され、サイクロン９で糠と搬送空気に分離され、搬送空気は天井側に排出され、糠は糠収容室１９に落下して堆積する。精米運転中に糠取り出しスイッチ４３を操作すると切換弁２７が切り替わり糠が第二糠搬送筒２８から第二サイクロン３０を経て糠取り出し室２９まで搬送し、利用者は糠取り出し室扉４４を開けて持参した袋で持参玄米の糠を採集する。持参玄米を持たないで糠のみを所望する利用者は第二開閉扉２０を開けて糠収容室１９から糠を採集する。
【００２５】
囲い板１８は移動車輪３２で機械室１３内の後部のスペース２５を移動することを可能としており、前述の長手の開放面を第三開閉扉２３側に向けるように移動し、囲い板固定部材３４を介して第三開閉扉２３近傍の側壁２２側に固定具３５，３６で固定すると第三開閉扉２３が利用者の糠収容室１９出入り用の開閉扉となり、第二開閉扉２０が管理者が機械室１３内のメンテナンス用スペース２６に出入りする開閉扉となる。このように構成することで精米設備の建屋１０の設置場所に応じて糠収容室１９の位置を管理者が任意に設定できる。また、機械室１３の後部のスペース２５のいずれか左右側一方をメンテナンス用スペース２６とし、左右側他方を糠収容室１９とするため、狭いスペースを有効に利用でき、精米設備全体の設置面積を小さくすることができる。また、囲い板１８の上端を天井３３と離間し、移動車輪３２で移動できる構成のため、管理者が円滑に囲い板１８を任意の向きに移動し易くすることができる。
【００２６】
糠収容室１９は第二開閉扉２０又は第三開閉扉２３のいずれかに設置することができるが、本実施の形態のように持参玄米の糠を操作室１２側へ取り出せる構成においては、精米機５に近い側の開閉扉、すなわち第二開閉扉２０側に設けたほうが糠搬送筒６及び第二糠搬送筒２８の長さを短くでき、レイアウトしやすい。
【符号の説明】
【００２７】
５  精米機
６  糠搬送筒
８  糠搬送ファン
９  サイクロン
１０  建屋
１１  仕切壁
１２  操作室
１３  機械室
１６  第一開閉扉
１８  囲い板
１９  糠収容室
２０  第二開閉扉
２１，２２  機械室の側壁
２３  第三開閉扉
３２  移動車輪
３３  天井
３５  囲い板固定部材用の固定具
３６  囲い板用の固定具
【図１】
2013094698.tif 000003
【図２】
2013094698.tif 000004
【図３】
2013094698.tif 000005
【図４】
2013094698.tif 000006
【図５】
2013094698.tif 000007